(57)【要約】      （修正有）【課題】燃焼中の火の粉（火片）の爆ぜ対策と広範な自由度で一次空気を吸入でき、炉体周辺の高温のニ次空気を取り入れて燃焼効率を高め、すす取り機能によって黒煙の出ないきれいな排煙のできる薪ストーブを提供する。【解決手段】一次空気吸入手段５が、吸気筒４ｂの先端に設ける軸受板４ｃに開口される半円状の開口部４ｄと、軸受板４ｃに回動自在に重畳される半円状の開口部７ｂと小孔開口部７ｄを有する火片飛散防止盤７と、その上に回動自在に重畳され半円状の開口部８ｂと開口部８ｂの周縁にバランスウェイト８ｄを周設した空気吸入量調整盤８とから成り、前記二次空気吸入手段６が、炉体１の胴部前方上位に設けられ上面の開口部６ａを炉内に連通する空気吸入筒６ｂと、開口部６ａに開閉自在に被蓋される開閉蓋６ｃとから成る。前記は排煙筒３には内部にすす取りケース１０と邪魔板９ｅを設け、上部に既設の煙突への煙突接続筒９ｃを立設したすす取り体９を設けたものも提供される。【選択図】図１
0003142375.tif 000002
【実用新案登録請求の範囲】
【請求項１】
燃焼室を構成する炉体の天部前方に開閉蓋を設け、天部後方に排煙筒を設け、炉体の胴部前方に開口された炊口に開閉自在な扉を設け、該扉に一次空気吸入手段を設け、前記胴部に二次空気吸入手段を設けて成る薪ストーブにおいて、
前記一次空気吸入手段が、前記扉の中央部で上向きに接合した吸気筒の上端に設けた軸受部の周囲に開口される半円状の開口部と、該軸受部に軸支された支軸に回動自在に軸着され、前記開口部に重畳されて該開口部に連通する半円状の開口部と、前記開口部に連通する小孔を多数配設した小孔開口部とを設けた火片飛散防止盤と、該火片飛散防止盤に重畳されて前記支軸に回動自在に軸着される半円状の閉塞部と、半円状の開口部と、該開口部の周縁バランスウェイトとを設けた空気吸入量調整盤とから成り、
前記二次空気吸入手段が、炉体の胴部前方上位に設けられ上面開口部を炉内の燃焼室に連通する円管状の空気吸入筒と、該上面開口部に水平状態で開閉自在に被蓋される開閉蓋とから成る薪ストーブ。
【請求項２】
前記排煙筒に外嵌される接続筒を垂下し、上部に煙突接続筒を立設する側面視台形状のすす取り体本体と、該すす取り体本体に出入自在に取着される横向き角筒状のすす取りケースと、該すす取りケースの後方底面に設けられ前記接続筒に連通する導煙口と、前方上面に開口される排煙口と、該排煙口に干渉してすす取り体本体の内面に設けられる邪魔板とから成るすす取り体が前記炉体の排煙筒に接続されて成る請求項１記載の薪ストーブ。
【考案の詳細な説明】
【技術分野】
【０００１】
本考案は、薪を燃料として暖房する薪ストーブに関し、詳しくは、厚肉鋼板製で保熱が大きく、燃焼効率の高い暖房技術に属する。
【背景技術】
【０００２】
従来から提供されている薪ストーブの一次空気の取入れ手段は種々提案されているが、例えば、特開２００４−７７０６０号公報（特許文献１）に開示された技術では、単に空気量の調節のみで火の粉の爆ぜ対策に欠けるものであり、また、二次空気の取入れ手段も炉内の二次燃焼室の構造と関連する複雑なものである。さらに、二次燃焼を催進するために特開２０００−４６３３４号公報（特許文献２）では酸化触媒８を設けているが、このような構造では炉体の上部から大きな丸太状の薪は投入できないものである。なお、炉体に備える排煙筒は製作上一体構造であるため、既設の排煙系と接続する場合、異径の調整管を要することが多い。そこで、排煙の始端である調整管にすす取り機能を付加して実験してみると、屋外への排煙がきれいであり、炉体の排煙筒にすす取り機能を付加すれば非常に効果的であることが判明したものである。
【特許文献１】特開２００４−７７０６０号公報
【特許文献２】特開２０００−４６３３４号公報
【考案の開示】
【考案が解決しようとする課題】
【０００３】
本考案は、燃焼中の火の粉（火片）の爆ぜ対策を盛り込んで留守中での暖房も安全であるとともに、広範な自由度で一次空気を吸入でき、しかも、炉体周辺の放熱エネルギーの大なる空間から二次空気を取り入れて燃焼効率を高め、さらに、既設の煙突への接続自由度を保有しつつ、すす取り機能によって黒煙の出ないきれいな排煙のできる薪ストーブを提供しようとする。
【課題を解決するための手段】
【０００４】
本考案の請求項１に記載した薪ストーブは、所要の燃焼室を構成する炉体の天部前方に開閉蓋を設け、天部後方に排煙筒を設け、炉体の胴部前方に開口された炊口に開閉自在な扉を設け、該扉に一次空気吸入手段を設け、前記胴部の適所に二次空気吸入手段を設けて成る薪ストーブにおいて、
前記一次空気吸入手段が、前記扉の中央部で上向きに接合した吸気筒の上端に設けた軸受部の周囲に開口される半円状の開口部と、該軸受部に軸支された支軸に回動自在に軸着され前記開口部に重畳されて該開口部に連通する半円状の開口部と、前記開口部に連通する小孔を多数配設した小孔開口部とを設けた火片飛散防止盤と、該火片飛散防止盤に重畳されて前記支軸に回動自在に軸着される半円状の閉塞部と、半円状の開口部と、該開口部の周縁にバランスウェイトとを設けた空気吸入量調整盤とから成り、
前記二次空気吸入手段が、炉体の胴部前方上位に設けられ上面開口部を炉内の燃焼室に連通する円管状の空気吸入筒と、該上面開口部に水平状態で開閉自在に被蓋される開閉蓋とから成る。
請求項２に記載した考案は、請求項１に記載した薪ストーブにおいて、
前記排煙筒に外嵌される接続筒を垂下し、上部に煙突接続筒を立設する側面視台形状のすす取り体本体と、該すす取り体本体に出入自在に取着される横向き角筒状のすす取りケースと、該すす取りケースの後方底面に設けられ前記接続筒に連通する導煙口と、前方上面に開口される排煙口と、該排煙口に干渉してすす取り体本体の内面に設けられる邪魔板とから成るすす取り体が前記炉体の排煙筒に接続されて成る。
【考案の効果】
【０００５】
本考案の薪ストーブによれば、留守中でも安全に暖房できる上、一次空気の吸入も広範な自由度で確保できるから経済的な暖房が得られ、また、二次空気の取り入れも炉内空間の構造に及ぶことなく、輻射熱が有効に利用できる位置からなされて二次燃焼効率も高く、さらには、炉体の排煙筒と既設の排煙系との接続も簡単に調整できる上、すす取り機能によってきれいな排煙が達成され、エコロジー効果をも奏するものである。
【考案を実施するための最良の形態】
【０００６】
本考案の薪ストーブにおける一次空気吸入手段の火片飛散防止盤は、多数の小孔を配設した小孔開口部に代えて半円状の開口部に網目の細かい金網を設けたものも提供され、扉に開口される吸気口は鉛直方向の上部に補強としての垂下部が設けられ、すす取り体は、すす取り体本体に設ける邪魔板が固定的なものから、ツマミで回動自在に位置決めされるものも提供される。さらに、炉体の胴部上端部の内面には丸棒状の補強骨が内設されたり、炊口の周縁にはその左右に板状の補強骨が縦設され両補強骨に横骨が差し渡しされて炊口の燃焼熱による変形が防止される。なお、上部の開閉蓋には従来から使用されている複数枚のリング板によって閉塞される開口部を設けることもある。
【実施例】
【０００７】
本考案の薪ストーブＡを一実施例により説明すると、図１、図２に示すように、燃焼室を構成する炉体１の天部前方に開閉蓋２を設け、天部後方に排煙筒３を設け、炉体１の胴部前方に開口された炊口（図外）に開閉自在な扉４を設け、扉４に一次空気吸入手段５を設け、前記胴部の適所に二次空気吸入手段６を設けて成る薪ストーブにおいて、炉体１は平面視楕円形で載置面から所要高さ（略80mm）に４本の脚１aで支持され、開閉蓋２は長手方向中央部左右に設けた軸受部２aで開閉自在に軸支されてその前方両隅にＬ形の取手２bが設けられ、炉体１の内面で炊口の左右には補強骨１bを縦設し、さらに、炊口の上部には両補強骨１bに渡って横骨１cを差し渡しして成る。一次空気吸入手段５は、扉４の中央部に開口される吸気口４aに上向きで鉛直線に対して略60°の角度で接合される吸気筒４bと、吸気筒４bの先端部に内設され軸受部としての軸受板４cの周囲に開口される半円状の開口部４d（図３に示す。）と、軸受板４cに軸支された支軸４eに回動自在に軸着されて軸受板４cに重畳される火片飛散防止盤７と、火片飛散防止盤７に重畳されて支軸４eに回動自在に軸支される空気吸入量調整盤８とから成る。二次空気吸入手段６は、炉体１の胴部前方で一次空気吸入手段５の上位に設けられ、該位置で胴部前方へ突出する水平状の開口部６aを設け鉛直線と略60°の角度で降下する円管状の空気吸入筒６bと、開口部６aの上面に開閉自在に被蓋される開閉蓋６cと、一方を開閉蓋６cの下面よりストッパーとして垂下し、他方を上に凸状に折曲して開閉蓋６cの上面に溶着した開閉子６dとから成る。
【０００８】
炉体１の上部後方に立設される排煙筒３にはすす取り体９が、すす取り体本体９aの下面に垂下される接続筒９bに外嵌されるが、このものはすす取りのほかに、すす取り体本体９aの上部に立設する煙突接続筒９cの口径をオプションとすることにより、既設の煙突の口径に接続できる。
詳述すると、側面視台形状のすす取り本体９aには、図７に示す横向き角筒状のすす取りケース１０を出入自在に取着し、すす取りケース１０の後方底面には接続筒に連通する導煙口１０aを開口するとともに、前方上面には排煙口１０bが開口され、排煙口１０bの上方ですす取り体本体９aの内面には外部のツマミ９dで回動自在に位置決め（摩擦手段やネジ締め等）される邪魔板９eが設けられ、燃焼中の排煙は仮想線で示すような流れとなり、その流れの中ですすは邪魔板９eによる乱流抵抗ですす取りケース１０に落下し、屋外への排煙はきれいなものとなる。頃合いを見てこのすす取りケース１０は取っ手１０c
を持って抜き取られ、すすが排除される。
【０００９】
次に、一次空気吸入手段５について詳述すると、図３に示す吸気筒４bの先端部に内設される軸受板４cは、半円状であるため吸気筒４bの内面に半円状の開口部４dを形成し、その中心に開口された挿通孔４fにはネジ軸の支軸４eが挿通され、軸受板４cに重畳され支軸４eにその中心の挿通孔７aを介して回動自在に軸支される火片飛散防止盤７は、図４に示すように、半円状の開口部７bと、直径10mmの小孔７cが多数設けられた小孔開口部７dとが設けられ、開口部７bの上方で外部の左右には係着孔（後述のカギ棒１２を引っ掛ける孔）７eが開口されて成り、さらに、この火片飛散防止盤７の上面に重畳され、挿通孔８aに支軸４eが挿通されて回動自在に軸支される空気吸入量調整盤８は、図５に示すように、半円状の開口部８bと半円状の閉塞部８cと、開口部８bの周縁に周設されるバランスウェイト８dとから成り、支軸４eの突端には図３（ｂ）に示したナット４gと袋ナット４hとがダブルナット状に螺設されて各個が回動自在に調節されて抜け止めされる。
【００１０】
したがって、吸気筒４bの開口部４dに対し、火片飛散防止盤７の開口部７bを全面連通させ、空気吸入量調整盤８の開口部８bを全面連通させれば、最大空気量が燃焼室に吸入されることになるが、この状態で空気吸入量調整盤８の開口部８bのみの連通度を調整すれば、その連通の度合いによって空気吸入量が調整される。
【００１１】
次に、吸気筒４bの開口部４dに対し火片飛散防止盤７の小孔開口部７dを対応させると、その全小孔７cによる吸入空気量が最大であり、この吸入空気量をさらに空気吸入量調整盤８によって調整するが、開口部８bを全面連通させると、その状態の最大吸入空気量が確保され、閉塞部８cで小孔７cを徐々に閉塞すると、最大吸入空気量が減少し、小孔開口部７dの全閉塞で吸入空気量は遮断される。そして、留守中の暖房では火片飛散防止盤７の小孔開口部７dを吸気筒４bの開口部４dに対応させ、その小孔開口部７dの一部を空気吸入量調整盤８の開口部８bに連通させれば、静かで経済的な暖房の中で熾火が爆ぜても小孔７cから飛び出すことは少なく安全である。より安全にするには図６に示すように、上部の開口部７bと同面積の開口部７fを開口し、開口部７fに目の細かい網目の金網１１を設けた火片飛散防止盤７を用いることもある。また、扉４の吸気筒４bに連通する吸気口４aは、図８に示すように、ハート形に開口され、上部中心で下方へ垂下する垂下部４aaが補強となって燃焼中の燃焼熱による扉４の変形が防止される。
【００１２】
このようにして成る薪ストーブＡは、上部前方の開閉蓋２が前端の両隅に設けられたＬ形の取手２bで開けられ、いわゆるトップローディングによって大きな丸太状の薪が炊かれ、一次空気吸入手段５の火片飛散防止盤７や空気吸入量調整盤８が図９で示すカギ棒１２で回転され、広範な自由度で空気吸入量が確保され良好な燃焼が持続される。そして、時折り二次空気吸入手段６の開閉蓋６cの開閉子６dにカギ棒１２の先端を引っ掛けて開閉蓋６cを開け、開口部６aを開口して二次燃焼を高め、すす取り体９との協働作用でクリーンな排気が大気に放出され環境に優しい暖房が提供される。炉体１が厚肉鋼板であると保熱効果があり二次空気が常に暖められているため、炉体１の内部に複雑な予熱構造を要することなく、経済的に熱効率を高効率に確保できる。
【産業上の利用可能性】
【００１３】
本考案の薪ストーブによれば、広範な自由度で一次空気の取り入れがなされて穏やかな暖房から高熱の暖房まで自在に制御できる上、留守中での暖房も安全である。二次空気の取入れも輻射熱によって暖められた空気が供給されるため、炉体の内部に複雑な予熱構造を構築することもなく簡単になされ、煙突の接続も広い自由度で対応される。しかもその中ですす取りができるから煙突掃除が軽減され、高性能の薪ストーブによって作業場や農作物の栽培用ハウスなどの大容量暖房から一般家庭での暖房にも及んで薪割りの手間が省けるなど、その需要は一層期待される。
【図面の簡単な説明】
【００１４】
【図１】本考案の薪ストーブＡの正面図。
【図２】図１の平面図。
【図３】吸気筒４bと軸受板４cの説明図で、（ａ）はその正面図、（ｂ）は（ａ）の縦断面と軸受板４ｃに関連する支軸４eの説明図。
【図４】火片飛散防止盤７の説明図で、（ａ）はその正面図、（ｂ）は（ａ）の縦断面図。
【図５】空気吸入量調整盤８の説明図で、（ａ）はその正面図、（ｂ）は（ａ）の縦断面図。
【図６】火片飛散防止盤７の他の実施態様の説明図で、（ａ）はその正面図、（ｂ）は（ａ）の縦断面図。
【図７】すす取りケース１０の斜視図。
【図８】扉４の裏面図。
【図９】本考案の薪ストーブＡに用いるカギ棒１２の斜視図。
【符号の説明】
【００１５】
１：炉体
１a：脚
１b：補強骨
１c：横骨
２：開閉蓋
２a：軸受部
２b：取手
３：排煙筒
４：扉
４a：吸気口
４aa：垂下部
４b：吸気筒
４c：軸受板
４d：開口部
４e：支軸
４f：挿通孔
４g：ナット
４h：袋ナット
５：一次空気吸入手段
６：二次空気吸入手段
６a：開口部
６b：空気吸入筒
６c：開閉蓋
６d：開閉子
７：火片飛散防止盤
７a：挿通孔
７b：開口部
７c：小孔
７d：小孔開口部
７e：係着孔
８：空気吸入量調整盤
８a：挿通孔
８b：開口部
８c：閉塞部
８d：バランスウェイト
９：すす取り体
９a：すす取り体本体
９b：接続筒
９c：煙突接続筒
９d：ツマミ
９e：邪魔板
１０：すす取りケース
１０a：導煙口
１０b：排煙口
１０c：取っ手
１１：金網
１２：カギ棒
Ａ：薪ストーブ
【図１】
0003142375.tif 000003
【図２】
0003142375.tif 000004
【図３】
0003142375.tif 000005
【図４】
0003142375.tif 000006
【図５】
0003142375.tif 000007
【図６】
0003142375.tif 000008
【図７】
0003142375.tif 000009
【図８】
0003142375.tif 000010
【図９】
0003142375.tif 000011